(57)【要約】【課題】  従来、水、湿気を検知するには、図５に示すように、センサーテープ１４ａをオムツ１５に装着して排尿等を待受け、無線で介護者に知らせる医療、介護用に限られていたが、この方式では、乗り物、ホテル、劇場等の椅子、座席の濡れをリアルタイムに連続して瞬時に検知するには無力であり、触手では、座席の深部の検知が困難なこと、個人差があり精度にバラツキがあること、さらに、針、ガラス、金属等に触れて怪我をする恐れがあり、また、腰を屈めるため腰痛になり易かった。【解決手段】  そこで、センサー部２を設置した検知板７と、コンパレーター部３と、感度調整部４と、アラーム部５とを一体にユニット化して組込んだユニット基板１１と電源部６を内蔵した中空の円筒竿を接続し、手に持って操作可能に設け、椅子、座席等の濡れをリアルタイムに連続して瞬時に検知し、光、音、振動により知らせることにより達成される。【選択図】図１
2007240505.tif 000002
【特許請求の範囲】
【請求項１】
センサー部と、コンパレーター部と、アラーム部とを有する濡れ検知装置であって、
センサー部は、水、湿気が付着すると抵抗値が変化する電極であり、
コンパレーター部は、該抵抗値の変化を電圧に換え、基準電圧と比較して検知信号を出力するものであり、
アラーム部は、該検知信号を受信して音、光、振動等を発して知らせるものであり、
センサー部は、コンパレーター部の入力側に接続し、アラーム部は、コンパレーター部の出力側に接続することにより、センサー部を検知板に設置し、コンパレーター部と、アラーム部を基板に一体に組込んでユニット化し、中空の円筒竿に内蔵したものであることを特徴とする濡れ検知装置。
【請求項２】
感度調整部を有する濡れ検知装置であって、
感度調整部は、該基準電圧を加減して感度調整をする可変抵抗器であり、コンパレーター部に一体に組込まれるものであることを特徴とする請求項１記載の濡れ検知装置。
【請求項３】
電源部を有する濡れ検知装置であって、
電源部は、コンパレーター部と、アラーム部とをユニット化して一体に組込んだ基板と共に中空の円筒竿に内蔵されるものであることを特徴とする請求項１記載の濡れ検知装置。
【請求項４】
前記電極は、櫛状の歯を交互に向き合わせて噛合せた模様を施したプリント基板であることを特徴とする請求項１記載の濡れ検知装置。
【請求項５】
前記検知板と、前記円筒竿は、一体に接続されて持ち運び可能にしたものであることを特徴とする請求項１記載の濡れ検知装置。
【請求項６】
前記持ち運び可能に接続された検知板と、円筒竿は、手に持って操作されるものであることを特徴とする請求項５記載の濡れ検知装置。
【発明の詳細な説明】
【技術分野】
【０００１】  この発明は、濡れ検知装置の機能に関する。
【背景技術】
【０００２】  従来、水、湿気を検知する濡れ検知装置は、図５に示すようにセンサーテープ１４ａをオムツ１５に装着して排尿等を待受け、水、湿気Ａを検知すると送信機１４ｂを介して受信機１４ｃに情報を伝達し、ブザー１４ｄにより介護者に知らせるもので、被介護者の尊厳を守り、清潔性を改善して快適性を向上し、さらに、介護者の精神的、肉体的負担が軽減することから医療、介護の分野で広く普及することになった。近年、センサー技術の開発は目覚しく濡れ検知装置もその一つである。
【発明の開示】
【発明が解決しようとする課題】
【０００３】  しかしながら、以上の技術によれば、排尿等による水、湿気により濡れることを期待してオムツ１５に装着されて待受ける医療、介護用のものに限られているため、乗り物、ホテル、劇場等に設けられている椅子、座席等の濡れをリアルタイムに連続して瞬時に検知することには無力であり、触手では、椅子、座席等の深い部分の検知が困難なこと、個人差があり精度にバラツキがあること、さらに、針、ガラス、金属等の破片で怪我をする恐れがあり、腰を屈めるため腰痛になり易かった。【０００４】  そこで、この発明は、椅子、座席等の濡れを深い部分まで瞬時に検知できて精度が高く、作業者の負担が軽減できて個人差が少なく、安全性、操作性、作業性に優れ、リアルタイムに連続して使用可能な濡れ検知装置の提供を課題とする。
【課題を解決するための手段】
【０００５】  以上の課題を解決するために、第一発明は、センサー部と、コンパレーター部と、アラーム部とを有する濡れ検知装置であって、センサー部は、水、湿気が付着すると抵抗値が変化する電極であり、コンパレーター部は、該抵抗値の変化を電圧に換え、基準電圧と比較して検知信号を出力するものであり、アラーム部は、該検知信号を受入れて音、光、振動等を発して知らせるものであり、センサー部は、コンパレーター部の入力側に接続し、アラーム部は、コンパレーター部の出力側に接続することにより、センサー部を検知板に設置し、コンパレーター部と、アラーム部を基板に一体に組込んでユニット化し、中空の円筒竿に内蔵したものであることを特徴とする濡れ検知装置。【０００６】  また、第二発明は、感度調整部を有する濡れ検知装置であって、感度調整部は、該基準電圧を加減して感度調整をする可変抵抗器であり、コンパレーター部に一体に組込まれるものであることを特徴とする濡れ検知装置。【０００７】  また、第三発明は、電源部を有する濡れ検知装置であって、電源部は、コンパレーター部と、アラーム部とをユニット化して一体に組込んだ基板と共に中空の円筒竿に内蔵されるものであることを特徴とする濡れ検知装置。【０００８】  また、第四発明は、電極に櫛状の歯を交互に向き合わせて噛合せた模様を施したプリント基板であることを特徴とする濡れ検知装置。【０００９】  また、第五発明は、検知板と、円筒竿を一体に接続して持ち運び可能にしたものであることを特徴とする濡れ検知装置。【００１０】  また、第六発明は、持ち運び可能に一体に接続された検知板と、円筒竿は、手に持って操作されるものであることを特徴とする濡れ検知装置。
【発明の効果】
【００１１】  第一発明によれば、センサー部は、検知板に設置し、コンパレーター部、アラーム部は、ユニット化して基板に一体に組込んで中空の円筒竿に内蔵し、大きさ、形状を自在にコンパクト化できるので使い易く汎用性に優れ、アラーム部は、音と光と振動で知らせるので認知度が高く迅速に対応できて作業性に優れる。【００１２】  第二発明によれば、感度調整部は、基準電圧を自在に加減して感度調整が可能であることから季節、天候、時刻、場所等の環境に影響されることなく椅子、座席等の奥深く、まで検知できるので精度が高く、信頼性に優れる。【００１３】  第三発明、第五発明、第六発明によれば、電源部を円筒竿に内蔵して検知板と接続し、何時でも、何処にでも持ち運び可能に設けているので移動性に優れ、手に持って操作でき、座面に直接手を触れないので安全であり、腰を屈めないので腰痛になりにくい。【００１４】  第四発明によれば、電極に櫛状の歯を交互に向き合わせて噛合せた模様を施したプリント基板を用いることにより、電極全面がセンサーとして機能するので作業効率が良く、安価であるため経済的である。
【発明を実施するための最良の形態】
【００１５】  この発明の一実施形態を、図１、図２、図３、図４に示す。
この濡れ検知装置は金属でできており、図１、図２、図４に示すように、センサー部２は、コンパレーター部３の入力側に接続し、アラーム部５は、コンパレーター部３の出力側に接続してセンサー部２を検知板７の先端部８に設置し、コンパレーター部３、感度調整部４及びアラーム部５は、ユニット基板１１に一体に組込み電源部６と共に中空の円筒竿１０に収納してユニット蓋１２、電池蓋１３を設け、重ね部９にて検知板７と円筒竿１０とを接続したものである。【００１６】  また、センサー部２は、図３に示すように、プリント基板２ａに櫛状の歯を交互に向き合わせて噛合せた模様を施した電極２ｂ、２ｃ間に水、湿気などＡが付着するとその導電性により抵抗値が変化し、この性質を利用して水、湿気等を検出するものになっている。【００１７】  また、コンパレーター部３は、図４に示すように、センサー部２で発生する抵抗値の変化を変換回路３ａで電圧Ｅ１に変換して感度調整部４で調整された基準電圧Ｅ０と比較し、電圧Ｅ１が小さくなると増幅回路３ｃから検知信号３ｄを出力するものになっている。【００１８】  また、感度調整部４は、図１、図２、図４に示すように、コンパレーター部３に組込まれた可変抵抗器４ｂをツマミ４ａで加減して基準電圧Ｅ０を調整し、水、湿気の状態を環境の変化に適合させて効率的に検知するものになっている。【００１９】  また、アラーム部５は、図１、図２、図４に示すように、検知信号３ｄをユニット基板１１に設置してあるＬＥＤ５ａ、ブザー５ｂにより光と音で知らせるものになっている。【００２０】  また、電源部は、図１、図２に示すように、電源スイッチ６ａ、電源ランプ６ｂをユニット基板１１に設置し、電池６ｃ、６ｄ、６ｅを中空の円筒竿に内蔵してセンサー部２、コンパレーター部３、感度調整部４及びアラーム部に電気エネルギーを供給するものになっている。以上、実施例にしたがって本発明を説明したが、本発明は、このような実施例に限定されるのではなく、本発明の要旨を逸脱しない範囲でさまざまに実施できる。
【実施形態の効果】
【００２１】  この実施形態によれば、この濡れ検知装置はコンパクトであり、センサー部を設置した検知板と、コンパレーター部、感度調整部、アラーム部を基板に一体にユニット化して組込んで電源部と共に中空の円筒竿に内蔵して接続しているので、大きさ、形状が自在で使い易く、何時でも、何処へでも持ち運べて移動性に優れ、手に持って操作できるので操作性、作業性に優れ、座面等に直接手を触れないので針、ガラス、金属等で怪我をすることが無く安全で、腰を屈めないので腰痛になりにくく、センサー部は、プリント基板であることから安価で経済的である。
【００２２】  また、感度調整部は、基準電圧を自在に加減して感度調整が可能であることから季節、天候、時刻、場所等の環境に影響されることなく椅子、座席等の奥深くまで検知できるので精度が高く信頼性に優れ、不特定の人が利用する乗り物、劇場等に設けられた椅子、座席等の濡れをリアルタイムに連続して瞬時に検知できるので認知性、汎用性に優れ有効である。
【他の実施形態】
【００２３】  図１、図２の実施形態では、検知板３及び円筒竿１０に金属を用いているが、他の実施形態では、ＦＲＰ等を用いたものでも良い。
【００２４】  図１、図２、図４の実施形態では、アラーム部５にＬＥＤ５ａと、ブザー５ｂを設けているが、他の実施形態では、ＬＥＤ５ａと、ブザー５ｂと、振動子とをそれぞれ単独、或いは組合せて設けたものでも良い。
【００２５】  図２の実施形態では、検知板７の先端８にセンサー部２を設置しているが、他の実施形態では、検知板全面に自在に設置したものでも良い。
【００２６】  図３の実施形態では、センサー部２に櫛状の歯を交互に向き合わせて噛み合わせた模様の電極を設けているが、他の実施形態では、渦巻き状等の模様を設けたものでも良い。
【００２７】  図３の実施形態では、電極にプリント基板２ａを用いているが、他の実施形態では、フィルム又はプリント回路板等を用いたものでも良い。
【００２８】  図１、図２の実施形態では、円筒竿１０を固定の長に設けているが、他の実施形態では、伸縮自在に設けたものでも良い。
【００２９】  図１、図２の実施形態では、検知板７と円筒竿１０を一体に接続しているが、他の実施形態では、折りたたみ可能に設けたものでも良い。
【００３０】  図１、図２の実施形態では、センサー部２は、検知板７に設けられているが、他の実施形態では、掃除機のノズル等に設けられたものでも良い。
【００３１】  図１、図２の実施形態では、濡れ検知装置１は、椅子、座席等に用いられているが、他の実施形態では、衣服等に用いられるものであっても良い。
【００３２】  図１、図２の実施形態では、濡れ検知装置１は、単独に設けられているが、他の実施形態では、箒等の清掃用具と組合されて設けられたものであっても良い。
【図面の簡単な説明】
【００３３】
【図１】  本発明の一実施形態にかかわる濡れ検知装置の平面図である。
【図２】  本発明の一実施形態にかかわる濡れ検知装置の側面図である。
【図３】  本発明の一実施形態にかかわる濡れ検知装置のセンサー電極模様図である。
【図４】  本発明の一実施形態にかかわる濡れ検知装置の動作フロー図である。
【図５】  従来の濡れ検知装置機能説明図である。
【符号の説明】
【００３４】  １  濡れ検知装置
２  センサー部
３  コンパレーター部
４  感度調整部
５  アラーム部
６  電源部
７  検知板
８  センサー設置部
９  重ね部
１０  円筒竿
１１  基板
１２  ユニット蓋
１３  電池蓋
１４  従来の濡れ検知装置
１５  オムツ
【図１】
2007240505.tif 000003
【図２】
2007240505.tif 000004
【図３】
2007240505.tif 000005
【図４】
2007240505.tif 000006
【図５】
2007240505.tif 000007